(57)【特許請求の範囲】
【請求項１】
上部に逆Ｌ字形のホースガイドピンとホースガイドピンとを間隔をおいて相対向して有するパイプを、水平方向の支柱の一端部に、設け、該水平方向の支柱の他端部に、巻取回転軸の一端部には間隔をおいて複数本の巻取ピン付き回転板を設けるとともに巻取回転軸の他端部には先端にハンドル付き回転用棒を、設けて、該巻取ピン付き回転板の外側に１方の止め具を固定した回転板と、複数個の巻取ピン用穴を有するとともに回転板より大きくて他方の止め具を片面に固定した巻取板とを、双方の止め具で着脱自在に仮着してホースの巻取主要部を形成し、該ホースの巻取主要部のパイプをホースカーの先端部に有するＴ字形牽引棒の把持部に挿入して取付けるとともにホースの巻取主要部の支柱をホースカーの先端部に有するＴ字形牽引棒の本体に着脱自在具で着脱自在に仮着してなるホースの巻取装置。
【発明の詳細な説明】
【技術分野】
【０００１】  この発明は、消防用ホース、灌漑用ホース、排水用ホースなどのホースを巻く時に使用するホースの巻取装置に係るものである。
【背景技術】
【０００２】  従来のホースの巻取り方は、これらのホースを使用した後に片付ける時には、多数本のホースを連結した長いホースの連結金具を取外してホースを地面の上に置いて手作業でホースを巻いている。更に別の従来のホースの巻取り方は、車輪付きホース巻取車でホースを巻いている。【０００３】  この従来の前者のホースの巻取り方では、ホースを片付ける時にホースの内外が水で濡れていて長くて重いホースを作業者が腰を曲げて屈みながら進んで手で巻く作業は重労働であるという問題点があるとともに地面が平らでなく、凹凸や傾斜がある所でのホースを手で巻く作業は困難であるという問題点があった。この従来の後者のホースの巻取り方では、ホースを片付けるために連結金具で連結したまま長いホースの巻く時に、ホースの連結金具を止めるストッパーがないために連結金具で連結したままの長いホースをそのまま巻くおそれがあるという問題点があるとともに長いホースを連結金具が邪魔して巻くことができなくなるおそれがあるいう問題点があった。
【特許文献１】  特開２００２−９８９６０
【発明の開示】
【発明が解決しようとする課題】
【０００４】  この発明は、従来のホースの巻取り方が有するこれらの問題点を解消し、長くて重いホースを容易でかつ円滑にホースを巻取ることや長くて重いホースを巻取る労力を軽減すること、長くて重いホースを巻取る時間を短縮することなどである。
【問題を解決するための手段】
【０００５】  この発明のホースの巻取装置は、上部に逆Ｌ字形のホースガイドピンとホースガイドピンとを間隔をおいて相対向して有するパイプを、水平方向の支柱の一端部に、設け、この水平方向の支柱の他端部に、巻取回転軸の一端部には間隔をおいて複数本の巻取ピン付き回転板を設けるとともに巻取回転軸の他端部には先端にハンドル付き回転用棒を、設けて、この巻取ピン付き回転板の外側に１方の止め具を固定した回転板と、回転板より大きくて他方の止め具を固定した巻取板とを、双方の止め具で着脱自在に仮着してホースの巻取主要部を形成し、このホースの巻取主要部のパイプをホースカーの先端部に有するＴ字形牽引棒の把持部に挿入して取付けるとともにホースの巻取主要部の支柱をホースカーの先端部に有するＴ字形牽引棒の本体に着脱自在具で着脱自在に仮着したものである。
【発明の効果】
【０００６】  この発明のホースの巻取装置は、上部に逆Ｌ字形のホースガイドピンとホースガイドピンとを間隔をおいて相対向して有するパイプを、水平方向の支柱の一端部に、設け、この水平方向の支柱の他端部に、巻取回転軸の一端部には間隔をおいて複数本の巻取ピン付き回転板を設けるとともに巻取回転軸の他端部には先端にハンドル付き回転用棒を、設けて、この巻取ピン付き回転板の外側に１方の止め具を固定した回転板と、回転板より大きくて他方の止め具を固定した巻取板とを、双方の止め具で着脱自在に仮着してホースの巻取主要部を形成し、このホースの巻取主要部のパイプをホースカーの先端部に有するＴ字形牽引棒の把持部に挿入して取付けるとともにホースの巻取主要部の支柱をホースカーの先端部に有するＴ字形牽引棒の本体に着脱自在具で着脱自在に仮着したから、ホースの巻取装置のパイプをホースカーの牽引棒の把持部に差込んで簡単に取付けることができるとともに簡単に取外すことができるし、ホースの巻取装置の支柱をホースカーの牽引棒の本体に着脱自在具で簡単に取付けることができるとともに簡単に取外すことができる。また、片付けるホースの端部を偏平にして相対向して設けたホースガイドピンとホースガイドピンとの間に挿入し、挿入したホースの端部を連結金具と一緒に回転板の複数本の巻取ピンの間に挿入した後に回転用棒のハンドルを人力などで回転することにより長くて重いホースを容易でかつ円滑にホースを巻取ることができるし、ホースの巻取装置を取付けたホースカーを移動しながらホースカーの速度とホースの巻取り速度とをほぼ同じにしてホースを巻取ることにより長くて重いホースを容易でかつ円滑にホースを巻取ることができるとともに砂利道や凹凸地や傾斜地などでも同様に長くて重いホースを比較的容易でかつ比較的円滑にホースを巻取ることができる。
更に、この長くて重いホースを巻取る労力を軽減することができるとともにこの長くて重いホースを巻取る時間を短縮することができる。
このようにホースをホースカーの牽引棒に取付けたホースの巻取装置で巻取ることにより地面の上のホースをホースカーの牽引棒まで引上げるために濡れたホースの内外に有する水をホースから排除しながら巻取ることができるとともにホースを引きずらないで引上げるためにホースを損傷するおそれをなくすことができるし、巻取ったホースを直ぐにホースカーの荷台に積載することができるとともに巻取ったホースを搬送しながら新たなホースを巻取ることができるためにホースの巻取りと回収の作業効率が良いという効果と後で巻取ったホースを回収に行く必要がないという効果と巻取ったホースを紛失するおそれがないという効果がある。そして、ホースの巻取りが終了した後にホースの巻取装置をホースカーから簡単に取外すことができるためとホースの巻取装置の回転板に仮着した大きな巻取板を回転板より容易に取外すことができるために取外したホースの巻取装置と取外した平板状の大きな巻取板とをそれぞれ別々に分解してホースカーの荷台にコンパクトに収納・保管することができる。
このようにホースカーの荷台に、多数本のホースとコンパクトにした平板状の大きな巻取板と大きな巻取板を取外したホースの巻取装置を、積載して保管することができるために火災などで緊急にホースなどを使用する時にホースカー１台で多数本のホースと必要とするホースの巻取装置全部を円滑に搬送することができる。
【発明を実施するための最良の形態】
【０００７】  ホースの巻取装置は、上部に逆Ｌ字形のホースガイドピンとホースガイドピンとを間隔をおいて相対向して有するパイプを水平方向の支柱の一端部に設け、この水平方向の支柱の他端部に、巻取回転軸の一端部には間隔をおいて複数本の巻取ピン付き回転板を設けるとともに巻取回転軸の他端部には先端にハンドル付き回転用棒を、設けて、この巻取ピン付き回転板の外側に１方の止め具を固定した回転板と、回転板より大きくて他方の止め具を固定した巻取板とを、双方の止め具で着脱自在に仮着してホースの巻取主要部を形成し、このホースの巻取主要部のパイプをホースカーの先端部に有するＴ字形牽引棒の把持部に挿入して取付けるとともにホースの巻取主要部の支柱をホースカーの先端部に有するＴ字形牽引棒の本体に着脱自在具で着脱自在に仮着したものである。
【実施例１】
【０００８】  ホースの巻取装置は、図１から図４に図示したように、水平方向の支柱１の一端部には上部に逆Ｌ字形のホースガイドピン２とホースガイドピン２とを間隔をおいて相対向して有するパイプ３を設け、この支柱の他端部には、巻取回転軸４を設けてこの巻取回転軸４の一端部に間隔をおいて２本の巻取ピン６付き回転板５を設け、この巻取回転軸４の他端部には先端にハンドル８付き回転用棒７を、設ける。
この巻取ピン付き回転板５の外側に１方の仮り止め具５′を固定し、回転板より大きい巻取板９に２個の巻取ピン用穴１０を設けるとともに巻取板の片面に他方の仮り止め具９′を固定して回転板５と巻取板９とを双方の止め具５′，９′で着脱自在に仮着したホースの巻取主要部１１である。
次に、図５に図示したようにホースカー１２の先端部に有するＴ字形牽引棒１３の把持部１３′にホースの巻取装置のパイプ３を挿入して取付けるとともにホースカーの先端部に有するＴ字形牽引棒の本体１３″とホースの巻取装置の支柱１とを仮り止めバンド１４で仮着したホースの巻取装置である。【０００９】  次に、片付けるホースの端部を偏平にして相対向して設けたホースガイドピン２とホースガイドピン２との間に挿入してから回転板５の巻取ピン６と巻取ピン６との間に挿入し、回転用棒のハンドル８を人力などで回転することにより巻取る。なお、この巻取例では支柱１と本体１３″との仮り止め具としてバンドを使用したものについて説明したが、バンド以外の着脱自在金具などの着脱自在具を使用するとよい。
【図面の簡単な説明】
【００１０】
【図１】本発明品主要部の平面図である。
【図２】同じく正面図である。
【図３】同じく背面図である。
【図４】同じく左側面図である。
【図５】本発明品の平面図である。
【符号の説明】
【００１１】  １    支柱
２    ホースガイドピン
３    パイプ
４    巻取回転軸
５    回転板
５′  仮り止め具
６    巻取ピン
７    回転用棒
８    ハンドル
９    巻取板
９′  仮り止め具
１０    巻取ピン用穴
１１    ホースの巻取主要部
１２    ホースカー
１３    Ｔ字形牽引棒
１３′  Ｔ字形牽引棒の把持部
１３″  Ｔ字形牽引棒の本体
１４    バンド
【図１】
0004345090.tif 000002
【図２】
0004345090.tif 000003
【図３】
0004345090.tif 000004
【図４】
0004345090.tif 000005
【図５】
0004345090.tif 000006